(57)【要約】【課題】  角型ドレンの位置を正確にしっかりと固定して施工可能とする。【解決手段】  型枠に取り付ける基板と、角型の平面形状を有するドレン本体に係合する係合板と、基板と係合板との間に介在する筒状のスリーブを有し、ドレン本体をその向きをずらさずに固定し、施工するための装置として、型枠Ｍに設けた基準線Ｘ−Ｘに合わせて位置決めするための目印１６を基板１１に設け、互いに抜き差し可能な嵌合部３１と嵌合相手部３２のどちらか一方を基板１１に設けるとともに、どちらか他方を係合板１４に設け、嵌合部３１と嵌合相手部３２とは抜き差しによって高さ調整が可能である一方、回転は不可能な回り止め構造を構成しているものとする。嵌合部３１、嵌合相手部３２としては、角パイプを使用することができ、またアングル材も使用可能であり、角パイプとアングル材を組み合わせても良い。【選択図】          図１
2007039993.tif 000002
【特許請求の範囲】
【請求項１】
型枠に取り付ける基板と、角型の平面形状を有するドレン本体に係合する係合板と、基板と係合板との間に介在する筒状のスリーブを有し、ドレン本体の向きをずらさずに固定し施工するための装置であって、型枠に設けた基準線に合わせて位置決めするための目印を基板に設け、互いに抜き差し可能な嵌合部と嵌合相手部のどちらか一方を基板に設けるとともに、どちらか他方を係合板に設け、嵌合部と嵌合相手部とは抜き差しによって高さ調整可能であり、かつ回転は不可能な回り止め構造を構成している角型ドレンの施工用固定装置。
【請求項２】
嵌合部、嵌合相手部として、互いに嵌合可能な角パイプを使用した請求項１記載の角型ドレンの施工用固定装置。
【請求項３】
嵌合部、嵌合相手部のどちらか一方のものとして、アングル材を使用した請求項１又は２記載の角型ドレンの施工用固定装置。
【発明の詳細な説明】
【技術分野】
【０００１】
本発明は、型枠に取り付ける基板と、角型の平面形状を有するドレン本体に係合する係合板と、基板と係合板との間に介在する筒状のスリーブを有し、ドレン本体の向きをずらさずに固定し施工するための装置に関するものである。
【背景技術】
【０００２】
建物の屋上やベランダ或いは外廊下の隅等に排水のために設置されるドレンには様々な形態のものがあるが、角型ドレンと呼ばれる、長方形状の平面形状を持つドレンの場合には、それが設置部に正確に設けられることに加えて、建物の直線に対して曲がらないように注意を払う必要が生じる。このため、型枠に取り付ける基盤には、縦、横十字線に合わせる位置を示す切り欠きを設け、ドレン本体側に配置される押さえ板には、ドレン本体と押さえ板とを一定位置に係合させる構造を設けていた。
【０００３】
しかし、従来の方法では基盤側とスリーブ及び押さえ板側とを１本のボルトとナットを用いて固定しているが、ボルト締めとは言うものの摩擦だけであるから作業中に誤ってつまづいたようなときや、コンクリートの打設圧力が強いときには動いてしまうおそれがあった。またボルトの数を２本に増した場合には、相応に固定力も増加する。ところが、実際には片効きの状態となってしまう場合も多く、不意に外力が加えられると動き易いという問題があった。またボルト本数が増せば、その分だけコストも嵩むことになる。
【０００４】
このため本件の出願人は先に実用新案登録第３０８６０６９号を発明し、スリーブの位置が、小さい突状の目印との係合によって規定される装置を提案した。しかし同号の装置では方向を合わせにくく、ずれを生じ易いという問題があった。また建物の床厚は夫々異なっており一様ではないが、従来は床厚毎に打込金具を用意する必要があり、段取りに手間がかかるという問題があった。また特開２００１−６５１２２号のものは、押え板と固定金具に、ボルトとは別に回り止めバーを嵌挿する方式であり、作業の際に外れたり取り落としたりするおそれがある。
【０００５】
【特許文献１】実用新案登録第３０８６０６９号
【特許文献２】特開２００１−６５１２２号
【発明の開示】
【発明が解決しようとする課題】
【０００６】
本発明は前記の点に着目してなされたものであり、その課題は、角型ドレンの位置を正確にしっかりと固定して施工可能とする点にある。また本発明の他の課題は、床厚が異なってもその寸法に合わせて容易に調整することが可能な角型ドレンの施工用固定装置を提供することである。
【課題を解決するための手段】
【０００７】
前記課題を解決するため、本発明は、型枠に取り付ける基板と、角型の平面形状を有するドレン本体に係合する係合板と、基板と係合板との間に介在する筒状のスリーブを有
し、ドレン本体の向きをずらさずに固定し施工するための装置について、型枠に設けた基準線に合わせて位置決めするための目印を基板に設け、互いに抜き差し可能な嵌合部と嵌合相手部のどちらか一方を基板に設けるとともに、どちらか他方を係合板に設け、嵌合部と嵌合相手部とは抜き差しによって高さ調整可能であり、かつ回転は不可能な回り止め構造を構成するという手段を講じたものである。
【０００８】
本発明の装置は、建物等の建造過程において、角型ドレンを所定位置に正確に保持することを目的とするもので、工事中の予期し得ない外力や打設コンクリートの圧力に耐えるために使用される。基板は型枠に、釘打ちなど任意の手段、方法で取り付けられるが、取り付けに当たって、基板に予め設けられている目印を、型枠に設けた基準線に合わせることにより位置決めを行う。
【０００９】
一方、ドレン本体は角型の平面形状であるので、この角型のドレン本体に係合する係合板を使用し、係合板と前記の基板を、ドレン本体の向きをずらさずに固定する。ドレン本体を固定する手段は、打設コンクリートの圧力にも耐える必要があるので、ボルト止めのような強力な固定力の得られるものであることが望ましい。しかし、ボルト使用の場合その本数は１本で十分である。基板と係合板との間にはスリーブが介在する。スリーブは、コンクリート型枠の一部であり、それによって確保された空所にはドレン本体に接続される排水管などが配置される。
【００１０】
そして本発明では、抜き差しによって高さ調整は可能であり、かつ回転は不可能なように回り止め構造を構成する、嵌合部と嵌合相手部を基板と係合板に設ける。嵌合部と嵌合相手部はどちらの基板に設けても良いし、また係合板に設けても良い。嵌合部と嵌合相手部の抜き差し可能なことにより、高さ調整を可能として床厚の大小に対応することが容易となり、回転の不可能なことにより、ドレン本体の向きをずらすことなく嵌合部と嵌合相手部の抜き差しが可能となる。
【００１１】
抜き差し可能な嵌合構造を有し、かつまた回転は不可能な回り止め構造を有するものとしては、横断面形状に角のあるものを伸縮式にはめ合わせる方式のものを適用することができる。その１例としては、入手の容易な角パイプの使用に利点があり、各種サイズの角パイプを組み合わせて嵌合による抜き差し構造、回り止め構造を構成することは、コストもかからずかつ実施が容易である。同様の利点は入手の容易な型材を利用して得ることができる。角パイプ以外の例としては例えば９０度の角を持つ（９０度とは限らない）アングル材その他の型材を利用することができ、その場合、例えば雄側を嵌合部としてアングル材、雌側を嵌合相手部として角パイプと組み合わせるような仕方も可能である。
【発明の効果】
【００１２】
本発明は以上のように構成されかつ作用するものであるから、回り止め構造により角型ドレンの位置を目的箇所に正確にしかもしっかりと固定することができ、コンクリートの打設圧力に耐えて建物の直線に対して曲がらない施工効果を得ることができるという効果を奏する。また本発明によれば、床厚が異なっても嵌合部と嵌合相手部の抜き差しによって対応することが容易であり、作業性が良く、かつ回り止め構造との相乗により正確、迅速な角型ドレンを実現することができる。
【発明を実施するための最良の形態】
【００１３】
以下図示の実施形態により本発明をより詳細に説明する。本発明に係る、角型ドレンの施工用固定装置１０は、型枠Ｍに取り付ける円形の基板１１と、型枠Ｍとの間に円筒形のスリーブ１２、１２′…を用いて配置されるドレン本体１３と、ドレン本体１３の内部に係合する係合板１４とを具備している。上記基板１１と、スリーブ１２、１２′…と、ドレン本体１３及び係合板１４とは１本のねじ杆１５によって結合される。
【００１４】
型枠Ｍに基板１１を取り付けるに当たり、予め型枠Ｍには取り付け位置を基準線Ｘ−Ｘで正確に表示しておき（図１参照）、基板１１には基準線Ｘ−Ｘに合わせるべき目印１６、１６を直径上の両端に２箇所設ける。２箇所の目印１６は板金製基板１１に切欠状に設けられている。基板１１はスリーブ１２、１２′…を基板上に載せられるような大きさに形成され、釘等の止め具１７を用いて型枠Ｍに取り付けられる。また、基板上面には、スリーブ１２、１２′…に内接して円筒形のスリーブ１２、１２′…と円形の基板１１の中心を一致させるための突起部１８が少なくとも３個（図１のものでは４個）設けられている。
【００１５】
上記ねじ杆１５は基板１１の目印１６、１６を通る直径上に立てられている。例示の装置では、鋼板より成る円盤状基板１１の円の中心に、ナットを取り付け部１９として１箇所固着し、その取り付け物１９にボルトから成るねじ杆１５を夫々螺じ込んで取り付ける方法を取っている。ねじ杆１５は、床厚に応じて定まる任意の長さのものを交換して使用することができる。
【００１６】
スリーブ１２、１２′…は下の型枠Ｍと上のドレン本体１３との間に介在して型枠の一部を構成する部材であり、施工時その外面には周囲からコンクリートモルタルの打設に伴う流動圧力が加わる。その流動圧力に耐えてねじ杆１５による緊締力が固定装置１０として全体に効果的に作用するように、スリーブ１２、１２′…はねじ杆１５により締結される。スリーブ１２、１２′…は下端と上端の開口２１ａ、２２ｂを有する。スリーブ１２、１２′…はドレン本体１３とも接するので、ドレン本体下面に存在する凸筒部２３と係合可能な内径を有しているものとする。なおスリーブ１２、１２′…の高さは任意であり、ドレン設置部に構築すべきコンクリートスラブＳの厚さ即ち前記の床厚等に応じて決められる（図３参照）。
【００１７】
ドレン本体１３は長方形状の平面形状を有しており、全体として概ね角皿型を有し、その中央の底部に排水口２２を有する。排水口２２は、施工完了後、排水管Ｐの上端部が接続されるように下向きの凸筒部を２３を有する（図４参照）。またドレン本体１３の内部には、施工時に係合板１４が係合する係合部２４として凸部を有する。
【００１８】
係合板１４は、型枠Ｍにねじ杆１５を用いてドレン本体１３を固定するための部材として、固定時にドレン本体１３に対してずれ動かないように、ドレン本体１３の係合部２４と係合可能な係合形状２５を有している。例示の場合、ドレン本体の目皿２８をねじ止めする部分に設けられた突部を係合部２４に利用している（図１３参照）。しかし係合部２４は、ドレン本体１３の内角等他の部位でも良く、係合形状２５もそれに応じて形態を変えることができる。例えば図５に示した係合板１４′はドレン本体１３の内形に適合した長方形であり、周囲の側辺が係合形状２５′となっている。２６はねじ杆１５を通す小孔、２７はねじ杆１５の先端部に螺合可能なナット等の締結具を示す。
【００１９】
さらに本発明の装置１０には、嵌合による抜き差し構造及び回り止め構造を司取るものとして、嵌合部３１と嵌合相手部３２とが設けられている。嵌合部３１と嵌合相手部３２は、どちらか一方を基板１１に設けるとともに、どちらか他方を係合板１４に設け、互いに抜き差し可能かつ回転は不可能な構造を有している。図１〜図４、図６、図８に例示されているものは、共に、４辺形の横断面形状を有する角パイプから成る嵌合部３１と嵌合相手部３２である。嵌合部３１と嵌合相手部３２は目的とする床厚に適合した長さに角パイプを切断し、基板１１及び係合板１４に溶接して形成されている。例示の嵌合部３１は太く、嵌合相手部３２は細く、しかしがたの問題とならないはめ合い関係によって抜き差し可能となっている。
【００２０】
図５は、嵌合相手部３１を角パイプのままとし、それに抜き差し可能な嵌合相手部３３を９０度の角を持つアングル材とした変形例１を示す。図５の嵌合相手部３３例の図７に３面図で示してあり、前記長方形係合板１４′にアングル材から成る嵌合相手部３３を溶接したものである（図９Ａ参照）。逆に嵌合相手部３２を角パイプのままとし、それに抜き差し可能な嵌合相手部３４を、アングル材の側縁を内側に曲げて作ったような角部３５を有するものとしても良い（図９Ｂ）。さらに、アングル材によって嵌合部３３と嵌合相手部３６を形成することも可能であり、この場合、嵌合相手部３６の側縁は内側に角部３７を設けるものとする（図９Ｃ）。
【００２１】
このような構成を有する本発明の装置１０を用いてドレンの取り付けを行う工程について説明する。施工には、型枠Ｍに引かれた基準線Ｘを基準として基板１１を取り付ける。その１箇所の取り付け部１９にねじ杆１５を立て、スリーブ１２、１２′…のどれか適当なものを突起部１８の外側に嵌め、かつ目印１６、１６により方向を定めることにより基板１１に合わせてセットし、排出口２３がスリーブ１２、１２′…内に嵌まり、かつ凸筒部２３がスリーブ１２、１２′…の下部開口２１と係合するのを確認しながら、スリーブ１２、１２′…の上部開口２２に凸筒部２３を嵌め合わせてドレン本体１３を載せる。さらに係合板１４を、その嵌合相手部３２を嵌合部３１に嵌合させるとともに、係合形状２５を係合部２４に係合させて小孔２６にねじ杆１５を通すようにセットする。次いで締結具２７を用いて係合板１４を緊締し、最後に養生カバー（図示せず）を用いてドレン本体１３の上面を覆い、コンクリートモルタルを打設する。
【００２２】
その後脱型前の状態が図３に断面図として示されている。図示のとおりドレン本体１３は目印１６、１６の嵌合部３１と嵌合相手部３２による回り止め構造及び抜き差し構造のもとで、１本のボルト状のねじ杆１５によって全体が緊締されているため、モルタルの打設時に流動圧力が加わっても位置を変えることはない。脱型後の状態は図１０に示されているが、図２からも明らかなように建物の壁面のような直線Ｌに対してドレン本体１３を正確に合致させた施工が完成する。床厚の大小については、図１に示した長短のスリーブ１２、１２′…を選択することによって容易に応じることができ、床厚に拘ずドレン本体１３は確実に固定される。
【００２３】
本発明の装置１０は、ドレン本体を２個の目印１６、１６を有する基板１１とスリーブ１２、１２′…及びドレン本体１３を係合板１４と基板１１に設けた嵌合部３１と嵌合相手部３２との嵌合ものとで、１本のねじ杆により止めるだけで、回転防止がなされ、かつドレン本体１３の位置を正確に保持することができ、しかも床厚の相違に対応することが容易である。２本のねじ杆を必要としないためコストや工数も低減され、角型ドレンの、角型であるが故に目立つ直線的形状を建物の直線的形状に正確に合致させることができるという効果を奏する。
【図面の簡単な説明】
【００２４】
【図１】本発明に係る角型ドレンの施工用固定装置の１例を示す分解斜視図。
【図２】ドレン本体と建物の直線の関係を示す本装置の平面図。
【図３】コンクリート打設状態の本装置を示す縦断面図。
【図４】嵌合部と嵌合相手部の１例を示す斜視図。
【図５】同じく変形例を示す斜視図。
【図６】基板と係合板の１例を示すもので、Ａは正面図、Ｂは下面図、Ｃは基板の１例を示す上面図。
【図７】係合板の変形例を示すもので、Ａは下面図、Ｂは側面図、Ｃは正面図。
【図８】嵌合部と嵌合相手部の嵌合を示す横断面図。
【図９】嵌合部と嵌合相手部のＡ、Ｂ、Ｃ３例を示す横断面図。
【図１０】施工完了状態を示す断面説明図。
【符号の説明】
【００２５】
１０  角型ドレンの施工用固定装置
１１  基板
１２、１２′  スリーブ
１３  ドレン本体
１４  押さえ板
１５  ねじ杆
１６  目印
１７  止め具
２１ａ、２１ｂ  開口
２２  排水口
２３  凸筒部
２４  係合部
２５  係合形状
２８  目皿
３１  嵌合部
３２、３３、３４、３６  嵌合相手部
３５、３７  角部
【図１】
2007039993.tif 000003
【図２】
2007039993.tif 000004
【図３】
2007039993.tif 000005
【図４】
2007039993.tif 000006
【図５】
2007039993.tif 000007
【図６】
2007039993.tif 000008
【図７】
2007039993.tif 000009
【図８】
2007039993.tif 000010
【図９】
2007039993.tif 000011
【図１０】
2007039993.tif 000012